(57)【要約】【課題】五感に働きかける癒しや自然治癒力を高める分野と第六感や感情に働きかけるフラワーレメディーや他のフラワーエッセンスの分野が独立し確立され細分化して存在するため、個人に於いては精神的、物理的、経済的な負担をしいられ、独立し確立された分野として提供されている現状が産業上の展開をも阻む結果となっている。【解決手段】分野毎に提供されているカテゴリを共通する新たなカテゴリに再分類することで、母集団からカテゴリに適応するキーワードを横断的に集約し、本発明の座標領域マップが提供する領域にキーワードを配置してそのキーワードの領域に適応するアイテムを更に配置することにより、複合的な新しいアイテムの組み合わせを提供することを手段として現状の課題を解決するものである。【選択図】図７
2008257387.tif 000002
【特許請求の範囲】
【請求項１】
五感に働きかける癒しの分野や自然治癒力を高めて病気の予防や病気を癒す分野が提供するアイテムと、第六感や感情・精神に働きかけるフラワーレメディーや他のフラワーエッセンスが提供するアイテムを、個々の精神的、肉体的状態を適切に把握して最良のアイテムの提供を実現する、分野を超えた新しいアイテムの組み合わせと複合的なアイテムの提供を個人及び産業上へ提供する座標領域マップ。
【請求項２】
前記の座標領域マップは、異なる分野が提供するカテゴリ分類を其々の分野に共通する新たなカテゴリに再分類する方法により母集団から横断的にキーワードを抽出して集約し、座標平面マップの座標軸の縦軸を感情・精神、横軸を肉体・身体の状態とした座標平面の第一象限から第四象限の座標領域に適応するキーワードを配置し、そのキーワードから導き出されるアイテムを更に適応する座標領域に配置することで、分野を超えた新しいアイテムの組み合わせと複合的なアイテムの提供を実現する座標領域マップ。
【請求項３】
前記の座標領域マップの第六感や感情・精神に働きかけるフラワーレメディーや他のフラワーエッセンスが提供するアイテムの座標領域適応範囲への配置は、縦軸の領域を基本として、縦軸の上方向（第一象限と第二象限）にポジティブな領域、下方向（第三象限と第四象限）にネガティブな領域を現す座標領域マップとして現し、座標領域に適応するキーワードを配置しそのキーワードから導き出されるアイテムを更に適応する座標領域に配置することで、五感に働きかける分野が提供する何れの座標領域マップとも重ね合わせ、併用して新しいアイテムの提供を実現する特徴をもつ。
【請求項４】
再分類されたカテゴリ毎のキーワードの集約は、特定された分野毎の集約のグループ化が可能で、これによれば個人及び産業上展開する業態に於いては提供する分野とその分野からの提供アイテムの選択が簡易となる。
【請求項５】
請求項２及び請求項３の座標領域マップの選択方法と提供方法は、個々の現状に対応するキーワードからアイテムを選択する現在形の選択方法と提供方法、こうなりたいという願望、夢、希望に対応する未来形の選択方法と提供方法である特徴をもつ。
【請求項６】
座標領域マップに配置されたアイテムの提供は、問診表の形式によりキーワードとアイテムが提供され、問診表メニューを複数のカラーシートや香りをイメージするデザインを用いたメニュー形態にすることで、それぞれを無意識に選択することに既にアイテム選択の要素が含まれており、選択から読み取れる適応アイテムを提供することを特徴とする。
【請求項７】
座標領域マップから導かれるフラワーレメディーや他のフラワーエッセンスが提供するアイテムの組み合わせは、ハーブ、ハーブティー、日本茶、中国茶、韓国茶、紅茶、健康茶、薬膳茶、機能性飲料、乳製飲料、コーヒー、アルコール飲料、豆乳飲料、果汁入り清涼飲料、炭酸飲料やアロマセラピー、カラーセラピーなどのセラピーやヒーリング分野に及び、赤ちゃんから老人、健康体から病気をかかえる人まで広く適応が可能である特徴をもつ。
【請求項８】
座標領域マップから提供されるアイテムは広く産業上の展開を可能とし、カフェ、レストランなどの店舗による提供や、カウンセリング、医療関連の施設などでの提供、飲食物製造による提供、またインターネットや紙媒体、電子媒体等への事業への複合的な展開も可能とする特徴をもつ。
【請求項９】
座標領域マップの領域に精神的・肉体的要素の自覚症状以外の医療分野の専門家の受診を必要とする症状、病状の軸を設けることで、癒しや自然治癒力を高め病気の予防や病気を癒す分野が提供するアイテムの提供とを区分する特徴をもち、新たな座標軸が定義する座標平面もしくは３次元の座標の座標軸の方向域が作り出す領域に、更なる新たな分野の分類と座標領域マップの作成を可能とする特徴をもつ。
【発明の詳細な説明】
【技術分野】
【０００１】
本発明は、五感に働きかける癒しや自然治癒力を高め病気の予防や病気を癒す分野と第六感や感情、精神に働きかける分野がそれぞれに独立し確立されて存在しているために、複合的にアイテムを得るためには、其々の分野の施術者や専門家を介してアイテムを得なければならないという現状の課題があり、癒しを得るために精神的、物理的、経済的な負担をしいられている。また、独立し確立されて存在する現状が産業上の展開をも阻む結果となっている分野へ新たに複合的なアイテムの提供を可能とするものである。
【０００２】
単一な癒しアイテムよりも、多面的な見地から複合的に癒しアイテムを提供することで、より大きな効果が得られると認識されている現状に対して、複合的にアイテムを選択して提供する方法が存在しないという現状の課題を解決するために、それぞれに独立し確立されて使われている分野毎のカテゴリ分類を其々の分野に共通するカテゴリに再分類することにより、其々の分野が提供するキーワードを横断的に抽出し集約して配置された領域に、適応するキーワードから導かれるアイテムを配置して、相乗効果と複合的な選択肢を簡易に提供しようとするものである。
【背景技術】
【０００３】
癒しや自然治癒力を高めることを目的とし病気を予防する分野が提供する療法やアイテムが、個々の五感に働きかけることを特徴とするのに対し、フラワーレメディーや他のフラワーエッセンスを用いた分野は個々の第六感や精神・感情に働きかける事により、心と身体と精神のバランスを計り病気の予防や病気を癒すことを目的としている。それぞれ独立して確立された分野は細分化され、独自のカテゴリ分類とキーワードの中でアイテムが提供されており、それぞれの分野がカウンセラーやヒーラーなどの専門家の施術により、アイテムが選択され提供されているのが現状である。
【０００４】
本発明は、異なる分野のアイテムを複合的に提供するために、其々に独立して確立されている分野が提供している異なるカテゴリの分類を、其々の分野に共通するカテゴリに再分類し、新たなカテゴリ分類に其々のキーワードを配置し、そのキーワードから導かれるアイテムを横断的に集約し配置して提供することで、選択肢と複合的な相乗効果を得ることを可能とすることを提供するものである。
【０００５】
【特許文献１】特許出願２００３−５２２３２１
【特許文献２】特許出願２００５−２８７０１１
【非特許文献３】バッチフラワーレメディ  カラーテキストブック
【発明の開示】
【発明が解決しようとする課題】
【０００６】
癒しや自然治癒力を高め病気の予防や病気を癒す分野が其々に独立し確立され細分化した分野として存在しているために、分野の異なるアイテムを得るためには其々の分野の施術者を介さないとアイテムが得られないという課題を抱えている。癒しを得るために、精神的、物理的、経済的な負担をしいられているのが現状で、複合的にアイテムを選択したいと願う人にとっては、其々の分野に確立された独自のカテゴリによりアイテムが提供されているために、施術者を介さないでアイテムを得るのは困難であるのが現状である。単一なアイテムよりも、多面的な見地から、複合的なアイテムを提供することでより大きな効果が得られると認識されている現状に対して、複合的にアイテムを提供する方法が無いという現状の課題を解決するために、独立し確立された分野で提供されている独自のカテゴリ分類を、其々の分野に共通するカテゴリに再分類することにより、其々の分野のキーワードを横断的に集約し、そのキーワードからアイテムを導き出して提供することで複合的なアイテムの提供を可能として課題を解決するものである。
【課題を解決するための手段】
【０００７】
本発明は、其々に独立し確立され提供されている五感に働きかける癒しや自然治癒力を高める分野のカテゴリ分類と、第六感や感情・精神に働きかける分野のカテゴリ分類を、其々に共通するカテゴリに再分類することで、母集団からカテゴリに適応するキーワードを横断的に集約し、本発明の座標領域マップが提供する座標平面上の領域にキーワードを配置してそのキーワードの領域に適応するアイテムを更に配置することにより、複合的な新しいアイテムの組み合わせを提供する手段により現状の課題を解決するものである。
【発明の効果】
【０００８】
其々に独立し確立されて提供されている分野の独自のカテゴリ分類を、其々の分野に共通する新たなカテゴリに再分類し、母集団から横断的にキーワードを集約してそのキーワードから導かれるアイテムを本発明が提供する座標領域マップに配置することにより、複合的な新しい組み合わせの提供を可能として現状の課題を解決する効果の提供と、産業上の展開を可能とする本発明により、例えばカフェ、レストランなどの店舗や、カウンセリング、医療関連の施設などでの提供、飲食物製造による提供、またインターネットや紙媒体、電子媒体等への事業への複合的な展開も可能とする効果が得られる。
【発明を実施するための最良の形態】
【０００９】
本発明は、癒しや自然治癒力を高めることを目的とする分野が提供するカテゴリ分類とフラワーレメディーや他のフラワーエッセンスを用いた分野が提供するカテゴリ分類を其々に共通するカテゴリに再分類することにより、母集団から横断的にキーワードを抽出して集約し、そのキーワードから導き出されるアイテムを複合的に提供することを可能とした座標領域マップとその配置方法と提供方法を説明するものである。実施形態の説明に当たり、其々の分野が用いている分類方法や表現方法、キーワードやアイテムの表現方法が類似、同義語、若しくは同等のものであっても、分野毎にその表記方法や表現方法が異なるため、本発明の説明に当たって用いられる図中の形態説明のための用語や領域は、本発明を総括的に説明するための表現でありこれに限定されるものではない。
【００１０】
本発明の実施形態を図１〜図１５により説明する
【００１１】
図１は其々の分野のキーワードとアイテムを配置するためのフィールドに相当するマップを座標平面の形態を使って集約する方法を現す図である。１の縦軸は感情、精神を現す座標軸で、２の横軸は肉体、身体の状態を現す座標軸である。中心０から右方向・上方向に向かって良好な状態を現し、左方向・下方向に向かって不調な状態を現すものである。
【００１２】
図２の縦軸・横軸に対する３の領域は、感情や精神が良好な状態を現す領域を現し、４は、感情や精神が不調な状態を現す領域を現すものである。
【００１３】
図３の縦軸・横軸に対する５の領域は、肉体や身体の状態が良好な領域を現し、６は、肉体や身体の状態が不調な状態を現す領域を現すものである。
【００１４】
図４は、図２、図３の３〜６が現す領域の重なり方によって、７〜１０の領域がさらに特定されることを現す図である。７は感情や精神が良好で肉体や身体の状態が良好を示す領域であり、新たなカテゴリ分類に対して母集団から抽出され集約されたキーワードとそのキーワードに適応するアイテムが配置される領域である。同様に８は、感情や精神が良好で肉体や身体の状態が不調を現す領域であり、新たなカテゴリ分類に対して母集団から抽出され集約されたキーワードとキーワードに適応するアイテムが配置される領域である。９は感情や精神が不調で肉体や身体の状態が不調を示す領域であり、新たなカテゴリ分類に対して母集団から抽出され集約されたキーワードとキーワードに適応するアイテムが配置される領域である。１０は感情や精神が不調で肉体や身体の状態が良好の領域を現し、新たなカテゴリ分類に対して母集団から抽出され集約されたキーワードとキーワードに適応するアイテムが配置される領域である。点１１は座標平面上の領域の７〜１０に適応するキーワードとアイテムが配置される時に、縦軸・横軸方向の強さの中程度を目安とするための点である。
【００１５】
図５は図１〜図４に配置される分野や感情や精神・肉体や身体の状態から導かれるアイテムの配置を現す座標平面のマップ上に其々が示すカテゴリに分類されない自覚症状や医療の分野の症状など、医療分野の専門家の受診を必要とする領域を１２の症状の軸を設けることにより、病状を現す１３，１４に配置して区別するための領域を設けることを特徴としたことを示す図である。この１３、１４の領域には専門家の問診や処方が不可欠ではあるが、漢方薬の分野がこの領域に配置されるアイテムとなる。またこの１２の軸のように新たな座標軸が定義する座標平面もしくは３次元の座標の座標軸の方向域が作り出す領域に、更なる新たな分野の分類と配置マップの作成が可能となる。
【００１６】
図１〜図４により、新たに分類されたカテゴリ毎に、母集団から導かれるキーワードとキーワードから導かれるアイテムの配置のための領域が座標平面の形式に用意された。
【００１７】
図６の１５は、それぞれの分野に共通する新たなカテゴリAに、母集団から横断的に集約されたキーワードの集合を現す図である。図７の２２は、図４が示す座標領域マップの其々７〜１０の領域に、図６の１５に集約されたキーワード１６〜２１が其々に適応する座標領域に配置されることを示す図である。図８の２３は、２２のキーワードから導き出される適応アイテム１６´〜２１´が更に同様にして配置されることを示す図である。
【００１８】
図６の２４は、フラワーレメディーや他のフラワーエッセンスに共通する新たな分類カテゴリAに母集団から横断的に集約されたキーワードの集合を現し、２４のカテゴリは１５のカテゴリに共通或いは同義語、類似語で表現されることで１５と２４は共通のカテゴリとなる。本来フラワーレメディーや他のフラワーエッセンスの分野のアイテム選定方法は、全てネガティブな状態を基本としてアイテムを導き出すものであり、アイテムを選択する人にとっては、客観的に感情や精神の状態を把握できないために提供されているキーワードからアイテムを選択することが難しい。本発明に於いては、図９の３０、３１が提供する領域及びキーワードとアイテムの配置とその提供方法は、フラワーレメディーや他のフラワーエッセンスが感情や精神的な要素に作用するアイテムであるため、縦軸の領域を基本として配置されることを特徴とする。
【００１９】
図９の３０の縦軸の上方向図２の３（第一象限と第二象限）の領域はポジティブな状態（本発明が提供する２つの方法の未来形）を現すことを特徴とし、２５〜２９のキーワードから適応する座標領域にキーワード２５，２８が配置されることを示す図である。縦軸の下方向図２の４（第三象限と第四象限）の領域にはネガティブな状態（本発明が提供する２つの方法の現在形）を現すことを特徴とし、２５〜２９のキーワードから適応する座標領域にキーワード２６、２７、２９が配置されることを示す図である。
【００２０】
図９の３１は３０に配置されたキーワードから導き出される適応アイテムの配置を示す図で、２５〜２９のキーワードの配置に適応して２５´〜２９´が座標領域に配置されることを示す図である。３０，３１のフラワーレメディーや他のフラワーエッセンスが提供する座標領域マップは、本発明が提供する全ての分野のアイテムと何れの座標領域マップにも重ね合わせて併用することが可能で、この併用により新たな組み合わせの提供を可能とすることを特徴とする。
【００２１】
図９の３０が現す図２の３の領域に配置されるキーワードは、例えば希望や目的がもてる、興味がわく、決断力がある、失敗から学ぶ、寛容、精神的な強さ、揺ぎない、賢明、思いやりがある、落ち着きがある、可能性を信じる、自己主張ができる、信念がある、自分をコントロールできる、責任感が強い、自己表現ができる、問題と向かい合える、判断力がある、バランスのとれた穏やかさ、落ち着きがある、視野が広い、自分や他人の有りのままを受け入れる、リラックスできる、柔軟性、楽天的、謙虚さ、外部の環境に影響されない、他人と共感できる、想像力が豊か、我慢強い、失敗を恐れず前向きなどのキーワードが配置される。
【００２２】
図９の３０が現す図２の４の領域に配置されるキーワードは、例えば恐怖、内気、無関心、やる気が起きない、何をしても無駄と思う、気持ちが揺れ動く、不安、迷い、自分のことで頭が一杯、人と打ち解けて話せない、何度も同じ間違いをする、優柔不断、方向が決められない、自分の目的がはっきりしない、夢見がち、何時も忙しく飛び回る、注意力散漫、他人にノーと言えない、ぼんやりする、口やかまし、ワンマン、人の長所が見えにくい、支配的、人の言いなりになってしまう、自分を抑えられない、過ぎたことをくよくよ考える、訳も無く落ち込む、焦ってイライラする、怒りと悲しみ、嫉妬心、劣等感、心配性、後悔、優うつ、罪悪感、完璧主義、潔癖症、自分を責める、苦悩、動揺、極度の緊張、自信喪失などのキーワードが配置される。
【００２３】
図９の３１が現す図２の３の領域に配置されたキーワードに適応するアイテムは、アスペン、レッドチェストナット、ゲンチアナ、スクレランサス、セトラー、チェストナットバット、ミムラス、ゴース、ワイルドオート、オリーブ、マスタード、ワイルドローズ、インパチェンス、ウオーターバイオレット、ラーチ、エルム、ビーチ、チコリー、バイン、クレマチス、アグリモニー、セントーリ、ワイルドビーン、クローバー、ぼけ、ヘザー、ウオルナット、オーク、バーベイン、水仙、マリーゴールドなどのアイテムが配置される。
【００２４】
図９の３１が現す図２の４の領域に配置されたキーワードに適応するアイテムは、アグリモニー、アスペン、ビーチ、セントーリ、チェリープラム、チェストナットバット、クレマチス、クラブアップル、エルム、ゲンチアナ、ゴース、ホリー、ハニーサックル、ホーンビーム、インパチェンス、ラーチ、マスタード、オリーブ、パイン、ロックローズ、ロックウオーター、スクレランサス、スターオブベツレヘム、スイートチェストナット、ウオルナット、ホワイトチェストナット、ワイルドオート、ワイルドローズ、ウイロウ、ミムラス、オーク、バイン、バーベイン、コスモス、さくら、孔雀草、むくげ、さくら、菜の花、ヒメヒマワリ、セージ、レンゲソウ、ムラサキシキブなどのアイテムが配置される。
【００２５】
図６、図７、図８、図９によれば、新たなカテゴリに於いて提供されるキーワードから導き出されるアイテムの選択は、単一であっても複数であってもその選択に制限は無い。分野を超え、母集団から横断的に選択し集約されるキーワードとそのアイテムは、本発明が提供する座標領域マップにより新たな組み合わせとその効果を拡大し、アイテムを選択する人の精神的、感情的、肉体的、身体的な全てのカテゴリに対して全ての分野が提供するアイテムを適応可能とする。
【００２６】
また図９の３０，３１の感情や精神に働きかけるフラワーレメディーや他のフラワーエッセンスの分野が提供するアイテムは、全ての分野と全てのアイテムを複合的に組み合わせることが可能である特徴をもち、従来では得られなかった五感に働きかける癒しや自然治癒力を高める分野と、第六感に働きかけて心と体のバランスを計ることにより癒す効果を提供する分野に於いても本発明が提供する座標領域マップによって、アイテム選択の共通化がなされ、新たなアイテムの組み合わせと複合的なアイテムの効果の提供を可能とすることを特徴とする。
【００２７】
其々が現す領域に配置されるキーワードとそれから導き出されるアイテムの提供方法は、現在のアイテムを選択する人の状況を把握して適応するアイテムを提供する現在形と、こうありたいという願望、夢、希望に対して提供される未来形の二通りであることを特徴とする。また選択の分野はアイテムを選択する人の嗜好から選択することも可能である。
【００２８】
図１０の３２は、図６の１５と同じ新たに分類されたカテゴリAであり、このカテゴリAに適合するキーワードを分野毎に集約したことを現す図である。この方法によれば、３７は特定された分野aの座標領域マップで、分野aに集約されたキーワード３３〜３６が適応する座標領域に配置される。３８は３７に配置されたキーワードに適応するアイテム３３´〜３６´が適応座標領域に配置されることを表す図であり、分野ｂ、分野cと、全ての分野に対して同様な配置が可能であることを示す図である。
【００２９】
図１０によれば、分野を特定して個々の状態を特定された分野の座標平面上に簡易に求めることが出来、特定されたアイテムを提供する業態に於いては、特定の分野とその分野から提供されるアイテムを簡易に選択できる。
【００３０】
図４の７〜１０の４つの領域に配置される其々の分野から導き出される領域とキーワードとそのアイテムは、２つの方向性から提供する。１つは現在のアイテムを選択する人の状態を基に提供される現在形であり、もう１つはこうありたいという願望や希望を基に提供される未来形である。其々の方向性に適応するキーワードと適応するアイテムを提供する。
【００３１】
図６の１５は其々の分野に共通或いは同義語、類似語の形式で表現され、現在形で現される集約されたーワードの配置領域図７の２２は、図４の７〜１０により導かれ、其々の領域に提供されるキーワードは座標領域に適応して配置される。２２に於いて図４の７の領域に相当する領域に配置されるキーワードは、図２の３の領域と図３の５の領域が重なる領域であるので、現在形で現されるキーワードは、気持ちが充実している、気持ちが高ぶっている・興奮している（高揚した状態）、明るい気分、穏やかな気持ち、肌の状態が良い、清清しい気分、人に優しくなれる、楽しい、嬉しい、物事に積極的である、行動的、好奇心旺盛、めげない、食が進む、体調が良い、体が軽いなどに相当するキーワードが配置される。
【００３２】
図７の２２の図４の８の領域に相当する領域に配置されるキーワードは、図２の３の領域と図３の６の領域の重なりであるために、感情や精神の状態は良好であるが肉体や身体の状態が不調であるために、図４の７のキーワードよりも感情や精神が少し不調である表現や状態に変わるキーワードが配置される。例えば、気持ちが沈みがち、気分は悪くないが体が重い、現状維持の状態で良い、少しは頑張れる、無難にこなしたい、どちらでも良い、体調を整えたい、やる気が湧かない、注意力に欠ける、集中力が低下する、活力の低下、気力の低下、休みたい、肌に張りがない、顔色が良くない、などに相当するキーワードが配置される。
【００３３】
図７の２２の図４の９の領域に相当する領域に配置されるキーワードは、図２の４と図３の６の重なりの領域であり、感情や精神の状態と肉体や身体の状態が不調であるために不安感、怒り、悲しみ、気力が無い、八つ当たりしてしまう、辛い、体が冷える、食欲が無い、疲労困憊、心と体のバランスが悪い、憂鬱、気持ちが切り替えられない、体調不良、気持ちが散漫、集中力散漫、仕事や勉強が手につかない、イライラする、肌あれ状態、極度の緊張感がある、不眠、更年期障害、夏バテ、などに相当するキーワードが配置される。
【００３４】
図７の２２の図４の１０の領域に相当する領域に配置されるキーワードは図４の８の領域とは反対に、図２の４と図３の５の重なりの領域であり、感情や精神の状態が不調で肉体や身体の状態が良好であるために、気持ちが萎えてしまうという状態であり、精神的な疲労感、人や心の温かさを欲する、向上心を高めたい、プレッシャーを無くしたい、持続力の維持、集中力を高める、気持ちが落ち込む、気持ちが散漫、心配事、眠りが浅い、などに相当するキーワードが配置される。
【００３５】
本発明が提供する座標領域マップに配置されるキーワードから提供されるアイテムは、ハーブ、ハーブティー、日本茶、中国茶、韓国茶、紅茶、健康茶、薬膳茶、漢方茶やアロマセラピー、カラーセラピーなどのセラピーやヒーリング分野等とフラワーレメディーや他のフラワーエッセンスから選び出されて提供される。
【００３６】
図８の２３に配置されるアイテムは、図７の２２の其々の領域に配置されたキーワードに適応して提供される。２３の２２に適応するアイテムは、図４の７の領域に相当する領域から導き出され、例えばカモミール、ラベンダー、オレンジブロッサム、フルーツティー、ローズ、エルダーフラワー、ヤロウ、タイム、メドウスイート、マジョラム、ローズマリー、ローズマリーティー、ハイビスカスティー、ヒースティー、プリムラ、ヒソップ、ミモザ、イランイラン、オリーブ、セサミ、ローズヒップ、花茶、黄金桂、鉄観音、千日紅茶、緑茶、メイクイ茶、洛神茶、菊花茶などが配置され、図９の３１のアイテムの図２の３の領域に配置されるアイテムを複合的に組み合わせることで、２３と３１を併用させた新たなアイテムの組み合わせの提供を可能とする特徴をもつ。
【００３７】
２３の２２に適応するアイテムは、図４の８の領域に相当する領域に配置されたキーワードから導き出され、例えばシナモン、ミント、タイム、ローズマリー、マロウ、ベリーリーフティー、オレンジピール、フェンネル、カルダモンティー、アンティチョークティー、ブラックベリーティー、ジンジャーティー、ブルーベリーティー、クコ茶、紅富貴茶、花梨茶、青茶などが配置され、図９の３１のアイテムの図２の３の領域に配置されるアイテムを複合的に組み合わせることで、２３と３１を併用させた新たなアイテムの組み合わせの提供を可能とする特徴をもつ。
【００３８】
２３の２２に適応するアイテムは、図４の９の領域に相当する領域に配置されたキーワードから導き出され、例えばパッションフラワー、カモミール、リンデン、レモンバーム、マリーゴールド、ローズ、ローズゼラニウム、ユーカリティー、ベルガモット、エルダーベリーティー、マロウブルーティー、スイートマジョラム、ジュンパーペリー、キーマンティー、アンジェリカ、アロエ、白茶、菊花茶、柚子茶、ラフマ茶、桂花茶、セントジョーンズワート、バナバ茶、サリエット、フェンネル、ウーロン茶、紅茶、緑茶、バラ花茶、イランイラン、オールスパイス、キャロットシード、グアヤクウッド、サンダルウッド、ベチパー、ラパンディンなどが配置され、図９の３１のアイテムの図２の４の領域に配置されるアイテムを複合的に組み合わせることで、２３と３１を併用させた新たなアイテムの組み合わせの提供を可能とする特徴をもつ。
【００３９】
２３の２２に適応するアイテムは、図４の１０の領域に相当する領域に配置されたキーワードから導き出され、例えばフェンネル、ナスタチウム、ハイビスカス、スイートマジョラム、ペパーミント、セージ、ボリジー、レモンバーべナ、ラベンダー、レモングラス、ローズマリー、ローズレッド、オレガノ、チェリーセージ、ライムティー、セントジョーンズ、カモミールティー、クローブティー、アンジェリカ、アンブレットシード、オレンジ、カッシー、カナンガ、カラミント、カルダモン、ジャスミン、グレープフルーツ、ジュニパー、スタイラックス、セージ、タイム、ネロリ、パセリ、ヒソップ、ベルガモット、ホップ、ミモザ、ミント、リンデン、ローズウッド、ウコン茶、ウーロン茶、薬外茶、黒茶などが配置され、図９の３１のアイテムの図２の４の領域に配置されるアイテムを複合的に組み合わせることで、２３と３１を併用させた新たなアイテムの組み合わせの提供を可能とする特徴をもつ。
【００４０】
図８の２３の全ての領域に対し、図９の３１が提供する図２の３と４に相当する何れの領域も適応が可能であることを特徴とし、更に新たなアイテムの組み合わせを提供する。
【００４１】
次に、こうありたいという願望や未来形で集約されるキーワードの配置領域図７の２２は、図４の７の領域に相当するキーワードには、例えばリフレッシュしたい、リラックスしたい、ニュートラルな状態にしたい、気持ちを穏やかにしたい、のんびりしたい、気持ちを鎮めたい、などに相当するキーワードが配置される。
【００４２】
２２の図４の８の領域に相当するキーワードには、気持ちを軽やかに、やる気を起こしたい、持続性を持ちたい、はつらつとした気分になりたい、集中力を高めたい、気持ちを切り替えたい、リラックスしたい、休みたい、体力アップ、肌に潤いを、顔色が良くなる、免疫力を高めたい、スッキリしたい、血行を良くしたい、新陳代謝を高めたい、疲労回復などに相当するキーワードが配置される。
【００４３】
２２の図４の９の領域に相当するキーワードには、体を温める、血行促進、新陳代謝を上げる、免疫力を上げる、集中力を高める、持続性を高める、持久力を高める、活力を得る、疲労回復、気力の充実、不安や怒りを鎮める、緊張の緩和、パワーの補充、解毒作用、リラックス、鎮痛作用、整腸作用、気持ちの安定、イライラを解消などに相当するキーワードが配置される。
【００４４】
２２の図４の１０の領域に相当するキーワードには、リラックス、精神的疲労の回復、集中力を高める、寝つきを良くしたい、人の温かさに触れたい、気持ちを癒されたい、イライラの解消、プレッシャーの軽減、気持ちを充実させたい、楽しい気分になりたい、心をリセットしたい、気分転換、美肌、向上心を燃え立たせたいなどに相当するキーワードが配置される。
【００４５】
未来形に適応する図８の２３の図４の７の領域に相当するアイテムは、フルーツティー、ローズ、メドウスイート、落神花茶、ゆりの花茶、桂花茶、茉莉ハート茶、スイセン、フリージア、イランイラン、カモミール、ゼラニューム、ミモザ、セントジョーンズワート、ローズヒップ、ピーチカーネル、プリムラ、花茶、ハイビスカスティー、マロウ、ローズマリー、ピーチティー、オレンジフラワーティー、ラベンダー、ヒソップ、オレンジブロッサム、マジョラムなどと図９の３１のアイテムの図２の３の領域に配置されるアイテムを複合的に組み合わせることで、２３と３１を併用させた新たなアイテムの組み合わせの提供を可能とする特徴をもつ。
【００４６】
未来形に適応する図８の２３の図４の８の領域に相当するアイテムは、ローズヒップ、ローズマリー、カルダモン、シナモン、ミント、タイム、カモミール、ローズマリーティー、オレンジピール、ベリーリーフティー、デンファレ、紅富貴茶、花梨茶、中国緑茶、ブラックベリー、アーティチョークティー、フェンネル、ジンジャーティー、ダンデライオン、バジルシード、シナモン、クコ茶、ダリア、パンジー、ゆり、中国青茶などと図９の３１のアイテムの図２の３の領域に配置されるアイテムを複合的に組み合わせることで、２３と３１を併用させた新たなアイテムの組み合わせの提供を可能とする特徴をもつ。
【００４７】
未来形に適応する図８の２３の図４の９の領域に相当するアイテムは、パッションフラワー、カモミール、レモンバーム、マリーゴールド、ナスタチウム、ベルガモット、ローズ、ローズゼラニウム、中国白茶、菊花茶、エルダーベリーティー、ローズマリーティー、コリアンダーティー、マロウブルーティー、ユーカリ茶、イチョウ茶、アンジェリカティー、カーネーション、カラー、グロリオサ、シクラメン、セントジョーンズワート、フェンネル、ジュンパー、サリエット、杜仲茶、ルイボスティー、バナバ茶、マテ茶、紅花茶、キンケイ茶、千日紅茶、中国紅茶、キャロットシード、サンダルウッド、ラバディン、スイートマジョラム、ヒソップ、ラフマ茶、プーアル茶、タイム、クランベリー、ポインセチア、ポピー、セイヨウノコギリソウ、キーマン紅茶、カモミール、イランイラン、シダーウッド、スタイラックス、バイオレット、マジョラム、マンダリン、レモンバーベナ、レモンバーム、月見草、バジル、バレリアン、ラベンダー、リンデンなどと図９の３１のアイテムの図２の４の領域に配置されるアイテムを複合的に組み合わせることで、２３と３１を併用させた新たなアイテムの組み合わせの提供を可能とする特徴をもつ。
【００４８】
未来形に適応する図８の２３の図４の１０の領域に相当するアイテムは、ペパーミント、セージ、ポリジ、スイートマジョラム、ローズマリー、レモンバーベナ、レモンバーム、ローズレッド、レモングラス、チェリーセージ、ラベンダー、ハイビスカス、ベリーリーフティー、オレンジリーフティー、ライムティー、オレンジピール、ミント、ローズマリーティー、ガーベラ、カスミソウ、セントジョーンズ、ウーロン茶、中国黒茶、フェンネル、ナスタチウム、オレガノ、グローブティー、カモミールティー、アンジェリカ、カラミント、アンブレットシード、エレミ、オールスパイス、オレンジカッシー、カナンガ、サイプレス、サンダウッド、シダーウッド、ジャスミン、ジュンパー、スタイラックス、ナード、ヘムロップスプルース、セージ、ネロリ、パイン、パチョリ、バルサム、ヒソップ、オリバナム、ベチバー、ヘリクリサム、ベルガモット、ホップ、ラベンダーなどと図９の３１のアイテムの図２の４の領域に配置されるアイテムを複合的に組み合わせることで、２３と３１を併用させた新たなアイテムの組み合わせの提供を可能とする特徴をもつ。
【００４９】
図８の２３の未来形全ての領域に対し、図９の３１が提供する図２の３と４に相当する何れの領域も適応が可能であることを特徴とし、更に新たなアイテムの組み合わせを提供する。
【００５０】
これら現在形、未来形の領域に配置されるそれぞれのアイテムには、状態と求めるキーワードによって、花言葉や草花、などのアイテムの提供が可能である。
【００５１】
図１１は本発明を事業展開する時に、その業態が提供しようとするアイテムの中から、最もユーザーに適したアイテムを選定するための方法と、アイテムを選択する人がお店やインターネット等からアイテムを選択するときの選定のための問診表に当たるものである。３９は、提供しようとする複数のアイテムの中から適応するアイテムを選定するために、感情や精神の状態から（今日の気分は？に当たるもの）選択された領域（図４の７〜１０）に相当する表現の中から適応するキーワードを選択し、そのキーワードを展開・提供の形態に準じた表現に変えたキーワードから、４０の肉体や身体の状態（今日のコンディションは？に当たるもの）を問うことで、順次絞り込みをしながら適応したアイテムを導き出す提供方法の一つの例である。
【００５２】
この方法は、現在のアイテムを選択する人の状態を把握して、現状が抱える問題や課題を解決するためのより良いアイテムを提供していくことで、心身ともに癒し効果を提供する方法と、図１２の４１が提供するこうなりたいという未来形や願望を実現する提供方法とがあり、其々図８の２３が提供する領域に配置されるアイテムと、図９の３１が提供するアイテムの新しい組み合わせによりアイテムを提供する。
【００５３】
図１３のアイテムの選択と特定方法は、状態を問う問診表を４２の色のシートとすることで、初めに色を選択したことにより選択の第一段階を選択したことになり、その無意識に選択された情報からそのアイテムを選択する人に適応するアイテムを提供するというものである。
【００５４】
図１４は図１３同様に、イメージする香りの選択という入り口の選択がアイテム提供の第一段階であるという特徴を、香りがイメージする４３のようなデザインで提供する実施例である。選択された香りをイメージするデザインには、其々の分野が提供するアイテムの要素が含まれており、その香りをイメージするデザインから得られる情報から読み取れるアイテムを選択する人の状態を把握して、適応するアイテムを提供しよういう特徴をもつものである。
【００５５】
図１５は、本発明が提供する再分類と配置が提供するアイテムをインターネットや遠隔操作により提供しようとする実施例である。この方法によれば、４４の現在の状態又は未来形を問い合わせ、その情報から４５によりアイテムを判定し、４６で提供される座標領域マップとそれに適応するアイテムの配置マップを４７間で照合し、４８の効果のある適応アイテムを表示して提供するものである。
【産業上の利用可能性】
【００５６】
国レベルに於いても「セルフメディケーション」を提唱しており、「自分の健康は自分で守る」という考え方を唱えている。「自分の健康は自分で守る」ということは、「病気にならないように健康を維持する」という意味で、現代の高齢化・高度で複雑に発達したストレス社会に於いて、ストレス解消、健康維持、健康増進への関心が高まっている。はっきりとした病気ではないが、ストレス、体調不良等の自覚症状を訴える人は多く、個々にストレス解消法や癒しへの関心、自然治癒力を高める手法への関心が高まっているのが現状である。しかし、癒しや自然治癒力を高める分野に於いては、提供される療法やアイテムがそれぞれに独立し確立されていて、専門家の手を介したアイテムや療法の提供方法であるために、広く産業上の展開を阻む結果となっている。異分野毎に確立されているカテゴリの分類に共通性をもたせて新たに再分類し直すことで、それぞれに提供されている分野毎のアイテムを横断的に集約可能とした。これにより、例えばカフェ、レストランなどの店舗や、カウンセリング、医療関連の施設などでの提供、飲食物製造としての提供、またインターネットや紙媒体、電子媒体等への事業への複合的な展開も可能である。
【図面の簡単な説明】
【００５７】
【図１】本発明が提供する再分類と再配置ための座標平面を成す座標軸を説明する        図である。
【図２】本発明が提供する感情や精神の領域区分を説明する図である。
【図３】本発明が提供する肉体や身体の領域区分を説明する図である。
【図４】本発明が提供する肉体や身体の重なりの領域区分を説明する図である。
【図５】本発明が提供する症状を分離するための領域区分を説明する図である。
【図６】本発明が提供する新たなカテゴリ分類に母集団から抽出されたキーワードの集合とその適応アイテムの配置方法を説明する図である。
【図７】本発明が提供する新たなカテゴリ分類に母集団から抽出されたキーワードの集合の配置方法を説明する図である。
【図８】本発明が提供する新たなカテゴリ分類に母集団から抽出されたキーワードからその適応アイテムの配置方法を説明する図である。
【図９】本発明が提供する新たなカテゴリ分類に母集団から抽出されたキーワードの集合から適応キーワード配置とアイテム配置方法を説明する図である。
【図１０】本発明が提供する新たなカテゴリ分類の特定の分野毎にキーワードを集約し、特定された分野の適応アイテムの配置方法を説明する図である。
【図１１】本発明が提供する再分類と再配置から得られたアイテムを現在形から選択するための問診表に当たるシートを説明する図である。
【図１２】本発明が提供する再分類と再配置から得られたアイテムを未来形から選択するための問診表に当たるシートを説明する図である。
【図１３】本発明が提供する再分類と再配置から得られたアイテムをカラーシートにより選択するための問診表に当たるシートを説明する図である。
【図１４】本発明が提供する再分類と再配置から得られたアイテムの香りをイメージするデザインで選択するための問診表に当たるシートを説明する図である。
【図１５】本発明をインターネット等の電子媒体により提供することを説明する図である。
【符号の説明】
【００５８】
１    感情と精神の座標軸を示す
２    肉体と身体の座標軸を示す
３    座標軸から得られる領域
４    座標軸から得られる領域
５    座標軸から得られる領域
６    座標軸から得られる領域
７    それぞれの領域の重なり領域を示す
８    それぞれの領域の重なり領域を示す
９    それぞれの領域の重なり領域を示す
１０    それぞれの領域の重なり領域を示す
１１    其々の座標軸が現す中程度の点
１２    症状を現す座標軸
１３    医療の専門家の範ちゅうに属するアイテムの領域
１４    医療の専門家の範ちゅうに属するアイテムの領域
１５    新たに分類されたカテゴリ
１６〜２１再分類されたカテゴリに母集団から横断的に集約されたキーワードの集合
２２    座標領域マップに適応キーワードを配置する説明図
２３    座標領域マップに適応アイテムを配置する説明図    
２４    フラワーレメディーや他のフラワーエッセンスの新たに分類されたカテゴリ
２５〜２９新たに分類されたフラワーレメディーや他のフラワーエッセンスの母集団から横断的に集約されたキーワードの集合
３０    フラワーレメディーや他のフラワーエッセンスの座標領域マップに適応キーワードを配置する説明図
３１    フラワーレメディーや他のフラワーエッセンスの座標領域マップに適応アイテムを配置する説明図
３２    新たに分類されたカテゴリを特定分野ごとに集約する説明図
３３〜３６特定された分野のカテゴリに適応するキーワードの集合      
３７    特定分野毎の座標領域マップに適応キーワードを配置する説明図
３８    特定分野毎の座標領域マップに適応アイテムを配置する説明図
３９    アイテムを得るための問診表に当たるシートの入り口の精神的な問い
４０    アイテムを得るための問診表の肉体的な問い
４１    未来形から提供されるアイテムを選択するための問診表に当たるシート
４２    現状と未来形から提供されるアイテムを選択するための問診表に当たるシートをカラーシートで提供する例
４３    現状と未来形から提供されるアイテムを選択するための問診表に当たるシートをデザインシートで提供する例
４４    インターネットで提供する場合の状態を問い合わせる仕組み
４５    状態を判定する仕組み
４６    適応アイテムをマップから選択するための仕組み
４７    状態を問い合わせマップと照合する仕組み
４８    効果のあるアイテムを提供する仕組み
【図１】
2008257387.tif 000003
【図２】
2008257387.tif 000004
【図４】
2008257387.tif 000005
【図５】
2008257387.tif 000006
【図６】
2008257387.tif 000007
【図７】
2008257387.tif 000008
【図８】
2008257387.tif 000009
【図９】
2008257387.tif 000010
【図１０】
2008257387.tif 000011
【図１１】
2008257387.tif 000012
【図１３】
2008257387.tif 000013
【図１５】
2008257387.tif 000014
【手続補正書】
【提出日】平成19年6月12日(2007.6.12)
【手続補正１】
【補正対象書類名】図面
【補正対象項目名】全図
【補正方法】変更
【補正の内容】
【図１】
2008257387.tif 000015
【図２】
2008257387.tif 000016
【図３】
2008257387.tif 000017
【図４】
2008257387.tif 000018
【図５】
2008257387.tif 000019
【図６】
2008257387.tif 000020
【図７】
2008257387.tif 000021
【図８】
2008257387.tif 000022
【図９】
2008257387.tif 000023
【図１０】
2008257387.tif 000024
【図１１】
2008257387.tif 000025
【図１２】
2008257387.tif 000026
【図１３】
2008257387.tif 000027
【図１４】
2008257387.tif 000028
【図１５】
2008257387.tif 000029